(57)【特許請求の範囲】
【請求項１】
上下方向に延びる筒状の胴部と、該胴部の両端を閉塞する上壁部および底壁部とを有するケーシングと、
通信用の回路基板を有し、上記ケーシングに収容される通信機構と、
上記ケーシングを上方から覆い、該ケーシングと間隔を置いて設けられる日光の遮光キャップとを備えている屋外用通信機であって、
上記ケーシングの胴部と上記遮光キャップとの間に設けられ、上下方向に延びると共に下端が上記遮光キャップよりも下方に位置し、風を上記遮光キャップよりも下方部分に当てて下方から上方へ向かって上記遮光キャップ内に導く第１のガイド部を備え、
上記遮光キャップの上壁部には、上記第１のガイド部によって導かれた風が流出する通風孔が形成されている
ことを特徴とする屋外用通信機。
【請求項２】
請求項１に記載の屋外用通信機において、
上記ケーシングの上壁部と上記遮光キャップとの間に設けられ、上記ケーシングの上壁部の外方側から中央へ向かって延び、上記第１のガイド部によって導かれた風を上記ケーシングの上壁部の中央へ導く第２のガイド部を備え、
上記通風孔は、上記遮光キャップの上壁部の中央に形成されている
ことを特徴とする屋外用通信機。
【請求項３】
請求項１または２に記載の屋外用通信機において、
上記第１のガイド部は、下端が二股に分かれ互いに反対側へ円弧状に曲がっている
ことを特徴とする屋外用通信機。
【請求項４】
請求項１乃至３の何れか１項に記載の屋外用通信機において、
上記ガイド部は、上記ケーシングの外面から突出して形成されている
ことを特徴とする屋外用通信機。
【請求項５】
請求項４に記載の屋外用通信機において、
上記ガイド部は、先端が上記遮光キャップの内面に接している
ことを特徴とする屋外用通信機。
【発明の詳細な説明】
【技術分野】
【０００１】
本願は、屋外に設置される通信機に関する。
【背景技術】
【０００２】
例えば特許文献１に開示されているように、屋外に設置される通信機（フィールド機器）が知られている。この通信機は、密閉容器であるケーシング内に、通信用の回路基板や該回路基板を駆動するためのバッテリー（充電器）等の通信機構が収容されている。通信機では、例えばセンサ等の検出信号が回路基板によって信号処理され、その処理された信号が外部機器へ送信される。
【先行技術文献】
【特許文献】
【０００３】
【特許文献１】特開２００９−１３３７５５号公報
【発明の概要】
【発明が解決しようとする課題】
【０００４】
ところで、上述したような屋外用の通信機では、直射日光によってケーシングおよびその内部が高温になり、電気部品である通信機構の故障等を招く虞がある。そのため、屋外用の通信機では、日光を遮るために遮光キャップ（遮光カバー）でケーシングを間隔を置いて覆う対策が講じられている。しかしながら、遮光キャップを設けるだけでは、ケーシングの高温化を十分に抑制できないという問題があった。特に、平均気温が高い場所や日照時間が長い場所に設置される場合ではその問題は顕著となる。
【０００５】
本願は、かかる事情に鑑みてなされたものであり、その目的は、ケーシングの高温化を十分に抑制し得る屋外用通信機を提供することにある。
【課題を解決するための手段】
【０００６】
本願は、上下方向に延びる筒状の胴部と、該胴部の両端を閉塞する上壁部および底壁部とを有するケーシングと、通信用の回路基板を有し、上記ケーシングに収容される通信機構と、上記ケーシングを上方から覆い、該ケーシングと間隔を置いて設けられる日光の遮光キャップとを備えている屋外用通信機を前提としている。そして、本願の屋外用通信機は、上記ケーシングの胴部と上記遮光キャップとの間に設けられ、上下方向に延びると共に下端が上記遮光キャップよりも下方に位置し、風を下方から上方へ向かって上記遮光キャップ内に導く第１のガイド部を備えている。さらに、上記遮光キャップの上壁部には、上記第１のガイド部によって導かれた風が流出する通風孔が形成されている。なお、日光の遮光キャップとは、日光を遮るキャップを意味する。
【発明の効果】
【０００７】
本願の屋外用通信機によれば、遮光キャップを設けているので、直射日光がケーシングに当たるのを防止できると共に、ケーシングと遮光キャップとを間隔を置いて設けているので、直射日光によって加熱された遮光キャップから熱がケーシングに伝わるのを抑制することができる。さらに、本願の屋外用通信機によれば、ケーシングの側方を流れる風が、第１のガイド部における遮光キャップよりも下方部分に当たり、第１のガイド部に沿って上方へ流れ遮光キャップ内に流入する。遮光キャップ内に流入した風は、ケーシングの上壁部まで流れて通風孔から流出する。こうして本願の屋外用通信機では、遮光キャップ内においてケーシングの胴部および上壁部の順に通風させることができる。この通風作用により、ケーシングを冷却することができる。つまり、ケーシングを通風冷却することができる。以上の遮光キャップによる作用と第１のガイド部による作用とにより、ケーシングの高温化を十分に抑制することができる。
【図面の簡単な説明】
【０００８】
【図１】図１は、実施形態１に係るセンサ装置の概略構成を示す正面図である。
【図２】図２は、実施形態１に係る屋外用通信機の概略構成を遮光キャップを省略して示す上面図である。
【図３】図３は、実施形態１に係る屋外用通信機の概略構成を遮光キャップを省略して示す正面図である。
【図４】図４は、実施形態１に係る屋外用通信機の概略構成を遮光キャップを省略して示す側面図である。
【図５】図５は、実施形態１に係る屋外用通信機の概略構成を遮光キャップを省略して示す斜視図である。
【図６】図６は、実施形態２に係る屋外用通信機の概略構成を遮光キャップを省略して示す正面図である。
【０００９】
以下、本願の実施形態について図面を参照しながら説明する。なお、以下の実施形態は、本質的に好ましい例示であって、本願、その適用物、あるいはその用途の範囲を制限することを意図するものではない。
【００１０】
（実施形態１）
本願の実施形態１について図１〜図５を参照しながら説明する。図１に示す本実施形態のセンサ装置１は、本願に係る屋外用通信機（以下、単に通信機４という。）が設けられているものである。センサ装置１は、屋外に設置された測定対象物（例えば、スチームトラップ）に固定され、該測定対象物の温度や振動を検出する、いわゆる固定タイプのセンサである。センサ装置１は、上下方向に延びる状態で測定対象物に固定される。
【００１１】
センサ装置１は、センサ本体２と、接続軸３と、上述した通信機４とを備えている。接続軸３は、中空軸であり、両端がナット５，６によってセンサ本体２と通信機４に連結されている。センサ装置１では、センサ本体２によって検出された測定対象物の温度等に関する信号が通信機４に送られる。
【００１２】
通信機４は、センサ本体２から送られた信号を処理して外部機器へ送信する無線通信機である。図２〜図４に示すように、通信機４は、ケーシング１０と、アンテナ２３と、通信機構３０と、遮光キャップ４０とを備えている。
【００１３】
ケーシング１０は、胴部１１と、上壁部１２と、底壁部１３とを有している。胴部１１は、上下方向に延びる円筒状に形成されている。上壁部１２および底壁部１３は、胴部１１の両端（上下端）に設けられて該両端を閉塞している。つまり、ケーシング１０は略円柱状の密閉容器である。上壁部１２は、扁平な椀状に形成されている。底壁部１３の下面には、接続軸３が連結される連結部１７が設けられている。
【００１４】
ケーシング１０の胴部１１には、接続口２１が設けられている。接続口２１は、胴部１１の上部寄りに位置し、胴部１１から突出して形成されている。アンテナ２３は、略棒状に形成されており、接続口２１に接続管２２を介して取り付けられている。接続管２２は、Ｌ字状に形成され、接続口２１に回転自在に接続されている。つまり、接続管２２を回転させることにより、アンテナ２３の角度を変更可能になっている。また、ケーシング１０の胴部１１には、下部に外部結線口２５が設けられている。外部結線口２５は、胴部１１から突出して形成されており、外部機器と電線を介して接続される。なお、接続口２１と外部結線口２５とは、胴部１１の周方向において略９０度ずれた位置に設けられている。
【００１５】
通信機構３０は、図２に示すように、ケーシング１０内に収容されている。通信機構３０は、センサ本体２から送られた信号を処理する通信用の回路基板３１と、該回路基板３１の駆動源であるバッテリー３２を有している。回路基板３１で処理された信号は、アンテナ２３によって無線送信される。
【００１６】
遮光キャップ４０は、ケーシング１０の外側に設けられて、日光を遮るためのものである。具体的に、遮光キャップ４０は、円筒状の胴部４１と、胴部４１の上端を閉塞する上壁部４２とを有している。上壁部４２は、扁平な椀状に形成されている。遮光キャップ４０は、ケーシング１０を上方から覆い、該ケーシング１０と間隔を置いて設けられている。遮光キャップ４０は、上壁部４２の中央がボルト１６によってケーシング１０の取付部１５に固定されて取り付けられている。取付部１５は、ケーシング１０の上壁部１２の中央から突出して形成され、ねじ穴を有している。遮光キャップ４０は、ケーシング１０の略上半部、即ち上壁部１２の全体と胴部１１の略上半部を覆っている。なお、遮光キャップ４０の胴部４１には、接続口２１に相当する部分に切欠き部４４が形成されている。
【００１７】
そして、通信機４には、遮光キャップ４０内に通風させる通風機構が設けられている。本実施形態の通風機構は、胴側ガイド部５１，５２，５３と、上壁側ガイド部５５，５６，５７，５８と、通風孔４３とを備えている。
【００１８】
胴側ガイド部５１，５２，５３は、ケーシング１０の側方を流れる風（外風）を下方から上方へ向かって遮光キャップ４０内に導くものであり、本願に係る第１のガイド部を構成している。胴側ガイド部５１，５２，５３は、ケーシング１０の胴部１１と遮光キャップ４０との間に設けられ、上下方向に延びる直線状の板部材である。より具体的に言うと、胴側ガイド部５１，５２，５３は水平方向に対して垂直に延びている。本実施形態では、胴側ガイド部５１，５２，５３はケーシング１０の周方向において３箇所設けられている（図３参照）。具体的に、胴側ガイド部５１は接続口２１と９０度ずれた位置に配置され、胴側ガイド部５２は接続口２１と対向する位置に配置され、胴側ガイド部５３は胴側ガイド部５１と対向する位置に配置されている。
【００１９】
胴側ガイド部５１，５２，５３は、ケーシング１０の胴部１１の外面から突出して形成されている。胴側ガイド部５１，５２，５３は、上端がケーシング１０の胴部１１の上端近傍に位置し、下端が遮光キャップ４０よりも下方に位置している。また、胴側ガイド部５１，５２，５３は、突出した先端（突出端）が遮光キャップ４０の胴部４１の内面に接している。
【００２０】
上壁側ガイド部５５，５６，５７，５８は、胴側ガイド部５１，５２，５３によって遮光キャップ４０内に導かれた風をケーシング１０の上壁部１２の中央へ導くものであり、本願に係る第２のガイド部を構成している。上壁側ガイド部５５，５６，５７，５８は、ケーシング１０の上壁部１２と遮光キャップ４０との間に設けられ、上壁部１２の外方側から中央へ向かって延びる板部材である。つまり、上壁側ガイド部５５，５６，５７，５８は、上壁部１２において中心から径方向に延びている。本実施形態では、上壁側ガイド部５５，５６，５７，５８は上壁部１２において４箇所設けられている（図３参照）。４つの上壁側ガイド部５５，５６，５７，５８は、互いに等間隔（９０度間隔）で配置されている。また、上壁側ガイド部５５，５６，５７，５８と胴側ガイド部５１，５２，５３とは、ケーシング１０の周方向において互いに例えば４５度ずれて配置されている。
【００２１】
上壁側ガイド部５５，５６，５７，５８は、ケーシング１０の上壁部１２の外面から突出して形成されている。上壁側ガイド部５５，５６，５７，５８は、外方端が上壁部１２の外縁近傍に位置し、内方端が取付部１５に接合されている。また、上壁側ガイド部５５，５６，５７，５８は、突出した先端（突出端）が遮光キャップ４０の上壁部４２の内面に接している。
【００２２】
通風孔４３は、遮光キャップ４０の上壁部４２に設けられ、胴側ガイド部５１，５２，５３によって遮光キャップ４０内に導かれた風が外部へ流出するように構成されている。本実施形態では、通風孔４３は４つ設けられている（図３参照）。具体的に、４つの通風孔４３は、上壁部４２の略中央に設けられており、各上壁側ガイド部５５，５６，５７，５８の間に位置するように設けられている。つまり、各通風孔４３は、ケーシング１０の上壁部１２と遮光キャップ４０との間において上壁側ガイド部５５，５６，５７，５８で仕切られた空間に開口している。
【００２３】
本実施形態の通信機４では、上述した通風機構により、図５に矢印Ａで示すように風が流れる。ケーシング１０の側方を流れる風は、胴側ガイド部５１，５２，５３における遮光キャップ４０よりも下方部分に当たり、胴側ガイド部５１，５２，５３に沿って上方へ流れ遮光キャップ４０内に流入する。つまり、ケーシング１０の側方を流れる風は胴側ガイド部５１，５２，５３に当たることによって遮光キャップ４０内に導かれる。遮光キャップ４０内に流入した風は、そのまま胴側ガイド部５１，５２，５３に沿ってケーシング１０の上壁部１２まで流れて通風孔４３から流出する。その際、上壁部１２まで流れた風は、上壁側ガイド部５５，５６，５７，５８によって確実に上壁部１２の中央へ導かれる。こうして、遮光キャップ４０内においてケーシング１０の胴部１１および上壁部１２の順に通風する。この通風作用により、ケーシング１０が冷却される。
【００２４】
以上のように、上記実施形態１の通信機４によれば、遮光キャップ４０を設けているため、直射日光がケーシング１０に当たるのを防止することができる。また、ケーシング１０と遮光キャップ４０とを間隔を置いて設けているため、直射日光によって加熱された遮光キャップ４０から熱がケーシング１０に伝わるのを抑制することができる。これにより、ケーシング１０の高温化を抑制することができる。
【００２５】
さらに、上記実施形態１の通信機４によれば、胴側ガイド部５１，５２，５３および通風孔４３を設けるようにしたため、ケーシング１０の側方を流れる風を遮光キャップ４０内に導入してケーシング１０の胴部１１および上壁部１２の順に通風させることができる。これにより、ケーシング１０を冷却（通風冷却）することができる。よって、上記実施形態１の通信機４ではケーシング１０の高温化を十分に抑制することができる。
【００２６】
さらに、上記実施形態１の通信機４では、上壁側ガイド部５５，５６，５７，５８を設けているため、胴側ガイド部５１，５２，５３によって上壁部１２まで流れた風を確実に上壁部１２の中央まで導くことができる。そのため、遮光キャップ４０内に流入した風を確実に通風孔４３から流出させることができる。つまり、遮光キャップ４０の下端から通風孔４３までの通風経路を確実に形成することができる。これにより、ケーシング１０を効果的に冷却することができる。
【００２７】
また、上記実施形態１の通信機４では、胴側ガイド部５１，５２，５３および上壁側ガイド部５５，５６，５７，５８をケーシング１０の外面から突出させて形成するようにした。そのため、ケーシング１０の胴部１１を胴側ガイド部５１，５２，５３によって補強することができ、ケーシング１０の上壁部１２を上壁側ガイド部５５，５６，５７，５８によって補強することができる。つまり、胴側ガイド部５１，５２，５３および上壁側ガイド部５５，５６，５７，５８を補強部材としても兼用することができる。
【００２８】
また、上記実施形態１の通信機４では、胴側ガイド部５１，５２，５３および上壁側ガイド部５５，５６，５７，５８の先端（突出端）が遮光キャップ４０の内面に接するようにした。これにより、遮光キャップ４０の胴部４１および上壁部４２を胴側ガイド部５１，５２，５３および上壁側ガイド部５５，５６，５７，５８によって支持することができる。したがって、遮光キャップ４０の剛性を高めることができる。
【００２９】
（実施形態２）
本願の実施形態２について図６を参照しながら説明する。本実施形態は、上記実施形態１の通信機４において、胴側ガイド部の構成を変更するようにしたものである。ここでは、その変更点について説明する。なお、本実施形態の胴側ガイド部６１，６２も、上記実施形態１と同様、ケーシング１０の胴部１１に３箇所設けられている。ここでは、代表して胴側ガイド部６１について説明する。
【００３０】
本実施形態の胴側ガイド部６１は、上記実施形態１と同様、上下方向に延びる板部材である。胴側ガイド部６１は、下端６１ａが二股に分かれて互いに反対側（図６において左右）へ円弧状に曲がっている。このように、胴側ガイド部６１の下端６１ａを円弧状に曲げることにより、ケーシング１０の側方を流れる風をスムーズに遮光キャップ４０内に導くことができる（図６に示す矢印Ｂを参照）。その他の作用および効果は、上記実施形態１と同様である。
【００３１】
（その他の実施形態）
上記実施形態において、胴側ガイド部５１，５２，５３，６１，６２、上壁側ガイド部５５，５６，５７，５８および通風孔４３のそれぞれの数量は、上述した数量に限らず、１つであってもよいし、上述した数量よりも多くてもよい。
【００３２】
上記実施形態では、胴側ガイド部５１，５２，５３，６１，６２および上壁側ガイド部５５，５６，５７，５８の先端（突出端）を遮光キャップ４０の内面に接するようにしたが、本願は、これらガイド部の先端と遮光キャップ４０の内面との間に隙間を設けてもよい。
【００３３】
上記実施形態１では、胴側ガイド部５１，５２，５３を水平方向に対して垂直に延びる直線状に形成したが、水平方向に対して斜めに延びる直線状または曲線状に形成するようにしてもよい。
【００３４】
上記実施形態において、上壁側ガイド部５５，５６，５７，５８を省略するようにしてもよい。
【００３５】
上記実施形態では、無線の通信機４について説明したが、本願は、有線の通信機であっても同様の作用効果を奏することができる。
【産業上の利用可能性】
【００３６】
本願は、屋外に設置される通信機について有用である。
【符号の説明】
【００３７】
４        屋外用通信機
１０      ケーシング
１１      胴部
１２      上壁部
１３      底壁部
３０      通信機構
３１      回路基板
４０      遮光キャップ
４２      上壁部
４３      通風孔
５１,５２,５３      胴側ガイド部（第１のガイド部）
５５,５６,５７,５８      上壁側ガイド部（第２のガイド部）
６１,６２      胴側ガイド部（第１のガイド部）
６１ａ      下端
【図１】
0006389097.tif 000002
【図２】
0006389097.tif 000003
【図３】
0006389097.tif 000004
【図４】
0006389097.tif 000005
【図５】
0006389097.tif 000006
【図６】
0006389097.tif 000007